(57)【要約】【課題】合成画像の印刷画質を向上する携帯電話、印刷装置およびその印刷システムを提供することを目的とする。【解決手段】複数の画像を取得可能であり、画像を表示する表示部を有する携帯電話と印刷装置とからなる印刷システムであって、携帯電話は、近距離無線通信手段と、表示部に、取得した一の画像と該画像を装飾する装飾画像との２つの画像を重ね合わせて合成表示し、２つの画像の相対位置に関する情報を決定する合成表示制御手段と、相対位置に関する情報と共に、一の画像を装飾画像とは別個に、近距離無線通信手段で送信する送信制御手段とを備え、印刷装置は、携帯電話と通信する無線通信手段と、携帯電話から送信された相対位置に関する情報に基づいて、一の画像と装飾画像とを合成して、合成印刷画像を作成する合成印刷制御手段と、合成印刷画像を印刷する印刷制御手段とを備える。【選択図】        図５
2004348653.tif 000002
【特許請求の範囲】
【請求項１】
複数の画像を取得可能であり、該画像を表示する表示部を有する携帯電話と印刷装置とからなる印刷システムであって、
前記携帯電話は、
近距離無線通信を行なう近距離無線通信手段と、
前記表示部に、前記取得した一の画像と該画像を装飾する装飾画像との２つの画像を重ね合わせて合成表示し、該２つの画像の相対位置に関する情報を決定する合成表示制御手段と、
前記相対位置に関する情報と共に、前記一の画像を前記装飾画像とは別個に、前記近距離無線通信手段を用いて送信する送信制御手段とを備え、
前記印刷装置は、
前記携帯電話と通信する無線通信手段と、
前記携帯電話から送信された前記相対位置に関する情報に基づいて、前記一の画像と前記装飾画像とを合成して、合成印刷画像を作成する合成印刷制御手段と、
前記合成印刷画像を印刷する印刷制御手段とを備えた印刷システム。
【請求項２】
請求項１に記載の印刷システムであって、
前記印刷装置は、
前記携帯電話から送信された前記装飾画像を記憶する記憶手段と、
前記携帯電話からの問い合わせに対して、前記記憶手段に記憶された前記装飾画像を確認して、前記合成印刷画像の作成に用いる装飾画像の有無を送信する装飾画像確認手段とを備え、
前記携帯電話は、前記装飾画像が前記印刷装置の前記記憶手段に有る場合には、前記装飾画像の送信を行なわない印刷システム。
【請求項３】
請求項１または２に記載の印刷システムであって、
前記携帯電話は、画像を撮影する撮影部を有し、
前記撮影部により撮影した撮影画像を縮小して、前記装飾画像を作成する装飾画像作成手段を備えた印刷システム。
【請求項４】
請求項１ないし３のいずれかに記載の印刷システムであって、
前記近距離無線手段および前記無線通信手段は、赤外線を用いた無線通信手段である印刷システム。
【請求項５】
携帯電話で取得した画像を印刷する印刷装置であって、
前記携帯電話と通信する無線通信手段と、
前記携帯電話で取得した画像の内、一の画像を装飾する装飾画像が前記携帯電話から送信されるときに、該装飾画像を受け取って記憶する記憶手段と、
前記携帯電話から送信される前記一の画像と前記装飾画像を特定する情報と両画像の相対位置に関する情報とに基づいて、前記一の画像と前記記憶手段から呼び出した前記装飾画像とを前記相対位置に合わせて合成して、合成印刷画像を作成する合成印刷制御手段と、
前記合成印刷画像を印刷する印刷制御手段とを備えた印刷装置。
【請求項６】
請求項５に記載の印刷装置であって、
前記携帯電話から送信される前記装飾画像を特定する情報に基づいて、前記記憶手段に記憶された該装飾画像を検索し、該装飾画像の有無に基づく情報を、前記携帯電話に送信する装飾画像検索手段を備えた印刷装置。
【請求項７】
画像を撮影する撮影部と該撮影された画像を表示する表示部とを有する携帯電話であって、
近距離無線通信を行なう近距離無線通信手段と、
前記表示部に、前記撮影部により撮影された撮影画像と該撮影画像を装飾する装飾画像との２つの画像を重ね合わせて合成表示し、該２つの画像の相対位置に関する情報を決定する合成表示制御手段と、
前記相対位置に関する情報と共に、前記撮影画像を前記装飾画像とは別個に、前記近距離無線通信手段を用いて印刷装置へ送信する送信制御手段とを備えた携帯電話。
【請求項８】
請求項７に記載の携帯電話であって、
前記撮影部により撮影された画像を縮小して、前記装飾画像の作成を行なう装飾画像作成手段を備えた携帯電話。
【請求項９】
請求項７または８に記載の携帯電話であって、
前記装飾画像は、フレーム画像である携帯電話。
【請求項１０】
複数の画像を取得可能であり、該画像を表示する表示部を有し、近距離無線通信可能な携帯電話と、該携帯電話と無線通信可能な印刷装置とからなる印刷システムの印刷制御方法であって、
前記携帯電話は、
前記表示部に、前記取得した一の画像と該画像を装飾する装飾画像との２つの画像を重ね合わせて合成表示し、該２つの画像の相対位置に関する情報を決定し、
前記相対位置に関する情報と共に、前記一の画像を前記装飾画像とは別個に、前記近距離無線通信を用いて送信し、
前記印刷装置は、
前記携帯電話から送信された前記相対位置に関する情報に基づいて、前記一の画像と前記装飾画像とを合成して、合成印刷画像を作成し、
前記合成印刷画像を印刷する印刷システムの印刷制御方法。
【請求項１１】
携帯電話との無線通信が可能であり、該携帯電話で取得した画像を印刷する印刷装置の印刷制御方法であって、
前記携帯電話で取得した画像の内、一の画像を装飾する装飾画像が前記携帯電話から送信されるときに、該装飾画像を受け取って記憶し、
前記携帯電話から送信される前記一の画像と前記装飾画像を特定する情報と両画像の相対位置に関する情報とに基づいて、前記一の画像と前記記憶した前記装飾画像とを前記相対位置に合わせて合成して、合成印刷画像を作成し、
前記合成印刷画像を印刷する印刷装置の印刷制御方法。
【請求項１２】
画像を撮影する撮影部と該撮影された画像を表示する表示部とを有し、近距離無線通信可能な携帯電話における画像の印刷制御方法であって、
前記表示部に、前記撮影部により撮影された撮影画像と該撮影画像を装飾する装飾画像との２つの画像を重ね合わせて合成表示し、該２つの画像の相対位置に関する情報を決定し、
前記相対位置に関する情報と共に、前記撮影画像を前記装飾画像とは別個に、前記近距離無線通信を用いて印刷装置へ送信する携帯電話における画像の印刷制御方法。
【発明の詳細な説明】
【０００１】
【発明の属する技術分野】
本発明は、近距離無線通信機能を備えた携帯電話、この携帯電話からの画像を出力する印刷装置、携帯電話と印刷装置とからなる印刷システムおよび印刷制御方法に関する。
【０００２】
【従来の技術】
従来から、撮影機能付きの携帯電話で撮影した画像とインターネット上のＷｅｂサーバから取得した画像や携帯電話に予め保存されている画像とを、携帯電話で合成して、その合成画像を印刷装置から出力する印刷システムが知られている。このＷｅｂサーバから取得した画像や携帯電話に予め保存されている画像は、携帯電話で撮影した画像を装飾する装飾画像（以下、フレーム画像と呼ぶ）である。この種の印刷システムでは、ユーザが携帯電話にダウンロードしたフレーム画像は携帯電話の表示パネルに表示され、そのフレーム画像を通して撮影対象の構図を決めて撮影する。こうすることで、フレーム画像と撮影画像との相対位置関係が決まり、画像の合成が行なわれる。そして、合成画像の印刷を所望する場合には、この合成画像のデータを印刷装置へ送信して印刷の実行がなされる。こうした、印刷システムを示す特許文献としては、下記のものがある。
【特許文献１】
特開２００１−２８５４２０号公報
【０００３】
【発明が解決しようとする課題】
しかしながら、こうした印刷システムでは、合成した画像の印刷を実行した印刷結果が、低画質であるという問題があった。携帯電話で画像の合成処理を行なうため、処理速度、メモリ等の制約から取り扱う画像は容量の小さなものに限られ、フレーム画像には、容量の小さい低画質の画像が用いられていた。こうしたフレーム画像は、低解像度のディスプレイで扱うには十分の解像度であるが、その画像を使用して合成した合成画像をそのまま用紙上に印刷すると、肌理の粗いものとなってしまうからである。そこで、印刷用として、高画質・大容量のフレーム画像を携帯電話にダウンロードし、これを用いて画像の合成処理を行なうことも考えられるが、能力の小さい携帯電話でこのような画像を処理すると、画像の合成処理に長時間を要することとなり、現実的ではなかった。
【０００４】
本発明は、こうした問題を解決し、合成画像の印刷画質を向上する携帯電話、印刷装置、その印刷システムおよび印刷制御方法を提供することを目的とする。
【０００５】
【課題を解決するための手段およびその作用・効果】
本発明の印刷システムは、上記課題の少なくとも一部を解決するため、以下の手法をとった。すなわち、複数の画像を取得可能であり、該画像を表示する表示部を有する携帯電話と印刷装置とからなる印刷システムであって、前記携帯電話は、近距離無線通信を行なう近距離無線通信手段と、前記表示部に、前記取得した一の画像と該画像を装飾する装飾画像との２つの画像を重ね合わせて合成表示し、該２つの画像の相対位置に関する情報を決定する合成表示制御手段と、前記相対位置に関する情報と共に、前記一の画像を前記装飾画像とは別個に、前記近距離無線通信手段を用いて送信する送信制御手段とを備え、前記印刷装置は、前記携帯電話と通信する無線通信手段と、前記携帯電話から送信された前記相対位置に関する情報に基づいて、前記一の画像と前記装飾画像とを合成して、合成印刷画像を作成する合成印刷制御手段と、前記合成印刷画像を印刷する印刷制御手段とを備えたことを要旨としている。
【０００６】
また、この印刷システムに対応する印刷制御方法は、複数の画像を取得可能であり、該画像を表示する表示部を有し、近距離無線通信可能な携帯電話と、該携帯電話と無線通信可能な印刷装置とからなる印刷システムの印刷制御方法であって、前記携帯電話は、前記表示部に、前記取得した一の画像と該画像を装飾する装飾画像との２つの画像を重ね合わせて合成表示し、該２つの画像の相対位置に関する情報を決定し、前記相対位置に関する情報と共に、前記一の画像を前記装飾画像とは別個に、前記近距離無線通信を用いて送信し、前記印刷装置は、前記携帯電話から送信された前記相対位置に関する情報に基づいて、前記一の画像と前記装飾画像とを合成して、合成印刷画像を作成し、前記合成印刷画像を印刷することを要旨としている。
【０００７】
かかる印刷システムおよびその印刷制御方法によれば、携帯電話は、一の画像と装飾画像とを重ね合わせて表示する合成表示を行ない、合成表示された２つの画像の相対位置に関する情報を決定し、相対位置に関する情報と２つの画像とを印刷装置にそれぞれ別個に送信する。データを受けた印刷装置では、相対位置に関する情報に基づいて２つの画像の合成処理を行ない、所望する画像を出力する。つまり、携帯電話では、２つの画像を重ね合わせた表示を行なうのみで、合成して１の画像を作成する合成処理は行なわない。２つの画像を１の画像にする合成処理は、印刷装置で行なうこととなる。したがって、印刷装置で合成処理を行なうことで、印刷装置の能力に対応した最適なドットパターンの展開ができ、高画質の印刷を行なうことができる。また、処理能力の高い印刷装置で画像の合成を行なうことで、迅速な処理をすることができる。
【０００８】
上記の構成を有する印刷システムにおいて、印刷装置は、前記携帯電話から送信された前記装飾画像を記憶する記憶手段と、前記携帯電話からの問い合わせに対して、前記記憶手段に記憶された前記装飾画像を確認して、前記合成印刷画像の作成に用いる装飾画像の有無を送信する装飾画像確認手段とを備え、前記携帯電話は、前記装飾画像が前記印刷装置の前記記憶手段に有る場合には、前記装飾画像の送信を行なわないものとしても良い。
【０００９】
かかる印刷システムによれば、携帯電話から一度送信された装飾画像は印刷装置に記憶される。携帯電話は、印刷装置に印刷するデータを送信する前に、該当する装飾画像の有無を問い合わせる。印刷装置からの返信の結果、以前に合成して印刷を行なった装飾画像であり、画像データを記憶している場合には、再度の携帯電話からの装飾画像の送信は行なわない。したがって、一度使用した装飾画像を再度使用する場合には、携帯電話から印刷装置に送信するデータを減らすことができ、通信時間を短縮することができる。
【００１０】
上記の構成を有する印刷システムにおいて、携帯電話は、画像を撮影する撮影部を有し、前記撮影部により撮影した撮影画像を縮小して、前記装飾画像を作成する装飾画像作成手段を備えるものとしても良い。かかる構成によれば、携帯電話で撮影された画像を縮小して装飾画像を作成することで、装飾画像の解像度は向上する。この高解像度の装飾画像と撮影画像との合成処理は、印刷装置で行なう。したがって、高画質の印刷を行なうことができる。
【００１１】
上記の構成を有する印刷システムにおいて、近距離無線手段および前記無線通信手段は、赤外線を用いた無線通信手段としても良い。かかる構成によれば、指向性のある赤外線を用いることで、携帯電話と印刷装置との間で互いの特定が容易となり、簡易な構成とすることができる。また、既存の携帯電話を使用することができ、汎用性の高いシステムを構築することができる。
【００１２】
本発明の印刷装置は、携帯電話で取得した画像を印刷する印刷装置であって、前記携帯電話と通信する無線通信手段と、前記携帯電話で取得した画像の内、一の画像を装飾する装飾画像が前記携帯電話から送信されるときに、該装飾画像を受け取って記憶する記憶手段と、前記携帯電話から送信される前記一の画像と前記装飾画像を特定する情報と両画像の相対位置に関する情報とに基づいて、前記一の画像と前記記憶手段から呼び出した前記装飾画像とを前記相対位置に合わせて合成して、合成印刷画像を作成する合成印刷制御手段と、前記合成印刷画像を印刷する印刷制御手段とを備えたことを要旨としている。
【００１３】
また、この印刷装置に対応する印刷制御方法は、携帯電話との無線通信が可能であり、該携帯電話で取得した画像を印刷する印刷装置の印刷制御方法であって、前記携帯電話で取得した画像の内、一の画像を装飾する装飾画像が前記携帯電話から送信されるときに、該装飾画像を受け取って記憶し、前記携帯電話から送信される前記一の画像と前記装飾画像を特定する情報と両画像の相対位置に関する情報とに基づいて、前記一の画像と前記記憶した前記装飾画像とを前記相対位置に合わせて合成して、合成印刷画像を作成し、前記合成印刷画像を印刷することを要旨としている。
【００１４】
かかる印刷装置およびその印刷制御方法によれば、携帯電話から送信された装飾画像は記憶され、同じ装飾画像を使用する場合には、装飾画像を特定する情報のみを受信して、装飾画像自体のやり取りは不要となる。したがって、再度、同一の装飾画像を使用する場合には、印刷する画像の受信に要する時間を短縮することができる。また、２つの画像の合成処理を印刷装置で行なうため、印刷装置の能力に対応した最適なドットパターンの展開ができ、高画質の印刷を行なうことができる。
【００１５】
上記の構成を有する印刷装置において、携帯電話から送信される前記装飾画像を特定する情報に基づいて、前記記憶手段に記憶された該装飾画像を検索し、該装飾画像の有無に基づく情報を、前記携帯電話に送信する装飾画像検索手段を備えるものとしても良い。
【００１６】
かかる構成によれば、印刷装置は、携帯電話から送信される装飾画像を特定する情報から、記憶手段内の装飾画像を呼出して、画像の合成処理を行なう。記憶手段内に該当する装飾画像が無い場合のみ、携帯電話に装飾画像の送信を要求する。したがって、携帯電話との通信に必要な時間を短縮することができる。
【００１７】
本発明の携帯電話は、画像を撮影する撮影部と該撮影された画像を表示する表示部とを有する携帯電話であって、近距離無線通信を行なう近距離無線通信手段と、前記表示部に、前記撮影部により撮影された撮影画像と該撮影画像を装飾する装飾画像との２つの画像を重ね合わせて合成表示し、該２つの画像の相対位置に関する情報を決定する合成表示制御手段と、前記相対位置に関する情報と共に、前記撮影画像を前記装飾画像とは別個に、前記近距離無線通信手段を用いて印刷装置へ送信する送信制御手段とを備えたことを要旨としている。
【００１８】
また、この携帯電話に対応する携帯電話における画像の印刷制御方法は、画像を撮影する撮影部と該撮影された画像を表示する表示部とを有し、近距離無線通信可能な携帯電話における画像の印刷制御方法であって、前記表示部に、前記撮影部により撮影された撮影画像と該撮影画像を装飾する装飾画像との２つの画像を重ね合わせて合成表示し、該２つの画像の相対位置に関する情報を決定し、前記相対位置に関する情報と共に、前記撮影画像を前記装飾画像とは別個に、前記近距離無線通信を用いて印刷装置へ送信することを要旨としている。
【００１９】
かかる携帯電話および携帯電話における画像の印刷制御方法によれば、携帯電話は、撮影画像と装飾画像との２つの画像の合成表示を行ない、相対位置情報を決定するのみで、２つの画像を１つの画像とする合成処理は行なわない。したがって、携帯電話での処理が簡素化され、画像の取り扱いが容易となる。
【００２０】
上記の構成を有する携帯電話において、撮影部により撮影された画像を縮小して、前記装飾画像の作成を行なう装飾画像作成手段を備えるものとしても良い。
かかる携帯電話によれば、携帯電話で撮影した画像は縮小されて装飾画像となる。したがって、高解像度の装飾画像を作成することができる。また、決まった形式の装飾画像に代えて、独自の装飾画像を作成することができ、携帯電話の合成表示機能を向上することができる。
【００２１】
上記の構成を有する携帯電話において、装飾画像はフレーム画像であるものとしても良い。かかる携帯電話によれば、画像の合成表示に用いるフレーム画像を簡便に作成することができる。
【００２２】
【発明の実施の形態】
以下、本発明を適用した近距離無線通信機能を備えた携帯電話、印刷装置からなる印刷システムの一実施例について説明する。図１は、本発明の第１の実施例である携帯電話、印刷装置を含み、全体としては、実施例としての印刷システムの一例を示す概略構成図である。図１に示すように、この印刷システムは、インターネット９０に接続されたＷｅｂサーバ５０、プロトコルが異なるデータを相互に変換して通信可能とするゲートウェイ８０、インターネット９０を介してＷｅｂサーバ５０に接続可能な携帯電話２０、携帯電話２０との近距離無線通信で所定の画像の印刷を実行するカラープリンタ３０から構成されている。
【００２３】
インターネット９０には、図示しない複数のＷｅｂサーバや多数のクライアントコンピュータが接続されている。Ｗｅｂサーバは、クライアントであるパーソナルコンピュータや携帯電話などの端末からのＵＲＬ情報を取得し、この情報に対応する所定のファイルを配信する。Ｗｅｂサーバ５０には、複数の画像データからなるファイル４０がアップロードされている。ファイル４０中の各画像データは、所定の画像データに重ね合わせて装飾するフレーム画像データである。この画像データは、ベクトルデータで作成されており、携帯電話での画像の合成表示に用いられている。こうしたフレーム画像データを備えるファイル４０の概念図を図２に示した。図示するように、ファイル４０には、複数のフレーム画像データの一覧を示すリストデータ４０ａが備えてある。このリストデータ４０ａには、各フレーム画像データの特徴、例えばコメントや名称等が記載されており、この特徴記載とフレーム画像データとは識別番号で対応付けされている。
【００２４】
Ｗｅｂサーバ５０は、携帯電話２０からのＵＲＬ情報に対応して、リストデータ４０ａを配信する。このリストデータ４０ａの中から、ユーザが名称等を選択することで、フレーム画像データの識別番号が選択されることになる。Ｗｅｂサーバ５０は、選択された識別番号に対応するフレーム画像データの配信を行なう。このデータの処理については、後述する。
【００２５】
次に携帯電話２０の機能および構成について説明する。図３は、携帯電話２０の概略構成を示す機能ブロック図である。携帯電話２０は、通常の通話機能オンフックキーやテンキーなどを備えたキー入力部７０５、音声のやり取りを行なうスピーカ７０２とマイク７０３、通話状態などを表示する液晶パネル７０７、アンテナ７００等の他、外部機器、例えば携帯電話同士で所定のデータのやり取りをするための赤外線を用いた無線通信機能を備えている。この携帯電話２０は、インターネット９０への接続が可能であり、インターネット９０経由でアクセスした所定のＷｅｂサーバから所望するファイルをダウンロードする機能を備えている。更に、この携帯電話２０は、静止画を撮影するカメラ７０８を備えており、例えば、カメラ７０８で撮影した画像を無線通信を用いて、別の携帯電話に送信することができる。
【００２６】
携帯電話２０には、スピーカ７０２やマイク７０３に接続され、通話に関する制御を行なう通話制御部２０１が内蔵されている。この通話制御部２０１は、ユーザによるキー操作のデータを後述する操作制御部２００を介して受け取り、また通話先電話番号などの情報を操作制御部２００を介して液晶パネル７０７に表示する。また、通話制御部２０１は、アンテナ７００に接続され、基地局７０との間で、通話やインターネット９０アクセスのためのデータの授受を行なっている。
【００２７】
こうした通話制御部２０１、更には、キー操作によるユーザの操作指令を制御する操作制御部２００に加えて、携帯電話２０は、カメラ７０８の制御をするカメラ制御部２０７、主にカメラ７０８で撮影した画像を記憶する記憶部２０２、カラープリンタ３０が認識できる指令コマンドを作成するコマンド生成解析部２０４、種々のデータを赤外線で通信可能なデータに加工する送信データ制御部２０３、該データを赤外波長の光に変換して発光ダイオード７５０を発光させる赤外線送信部２０５、赤外波長の光をフォトダイオード７６０で受信して電気信号に変換する赤外線受信部２０６を備えている。
【００２８】
操作制御部２００は、通話制御部２０１，カメラ制御部２０７，コマンド生成解析部２０４や記憶部２０２とそれぞれデータのやり取りをしている。例えば、操作制御部２００は、所定のフレーム画像データをダウンロードする指令を通話制御部２０１に、画像を撮影する撮影操作の指令をカメラ制御部２０７に、カラープリンタ３０に指令する指令コマンドを作成する指示をコマンド生成解析部２０４に、通話制御部２０１を介してダウンロードしたフレーム画像データを記憶する指示を記憶部２０２に、それぞれ出力する。これを受けて、通話制御部２０１はダウンロードしたフレーム画像を、カメラ制御部２０７は撮影した撮影画像を、操作制御部２００に出力し、操作制御部２００は、画像を液晶パネル７０７に表示する。
【００２９】
操作制御部２００は、必要に応じて所定のフレーム画像データを記憶部２０２から呼出して液晶パネル７０７に表示する。操作制御部２００は、こうした画像データをカラープリンタ３０にて印刷する場合には、印刷に必要なデータを判断し、送信データ制御部２０３へ送信の指示をする。
【００３０】
カメラ制御部２０７は、キー入力部７０５からのユーザの指令を操作制御部２００を介して受け、カメラ７０８を制御して画像を撮影し、撮影した画像を、記憶部２０２に出力する。記憶部２０２は、出力された画像を記憶し、操作制御部２００からの指令を受けて、印刷する画像データを送信データ制御部２０３に出力する。
【００３１】
送信データ制御部２０３は、操作制御部２００，記憶部２０２，コマンド生成解析部２０４から、それぞれ、データ送信処理、印刷する画像データ、印刷の指令コマンドを受け取り、送信可能に加工した前述の各種データを赤外線送信部２０５に出力する機能を有する。該データを受け取った赤外線送信部２０５は、そのデータによって赤外波長の光を変調し、これをカラープリンタ３０に送信する。他方、カラープリンタ３０からデータを受け取った赤外線受信部２０６は、そのデータをコマンド生成解析部２０４に出力する。コマンド生成解析部２０４は、このコマンドの解析内容を操作制御部２００に出力する。操作制御部２００では、この内容から印刷に必要なデータを判断する。赤外線送信部２０５、赤外線受信部２０６で使用している通信は、ＩｒＤＡ（ＩｎｆｒａＲｅｄ  Ｄａｔａ  Ａｓｓｏｃｉａｔｉｏｎ）規格の赤外線通信である。この種の赤外線通信では、８５０ｎｍ  〜９００ｎｍの赤外線で情報をやり取りする。
【００３２】
次に、カラープリンタ３０の概略構成について説明する。図４は、カラープリンタ３０の概略構成を示す機能ブロック図である。カラープリンタ３０は、デジタルスチルカメラの画像データを記憶するメモリカード３７が直接接続されるカードスロット３５を有するインクジェット方式のプリンタである。このカラープリンタ３０は、印字や印刷用紙等の設定をする操作表示パネル８２０を有し、コンピュータを介すことなくメモリカード３７内の画像データの印刷が可能である。
【００３３】
カラープリンタ３０は、主に、操作表示パネル８２０を介して設定される印刷条件の制御を行なうユーザ操作制御部３００、携帯電話２０から後述する受信データ解析部３０７を介して撮影画像データを受信する外部  Ｉ／Ｆ制御部３０１、携帯電話２０で選定された撮影画像データとフレーム画像データとの２つの画像を、１つの画像にする合成処理を行なう合成制御部３０２、印刷すべき画像データをドットパターンに展開する印刷イメージ作成部３０３、各種アクチュエータの動作で印刷をする印刷部３０４を備えている。ユーザ操作制御部３００は、ユーザが操作パネル８２０を介して設定する印刷条件、例えば用紙サイズ、印刷枚数や印刷品質などを設定し、こうした設定データを外部  Ｉ／Ｆ制御部３０１に出力する。外部  Ｉ／Ｆ制御部３０１は、受信データ解析部３０７から撮影画像データと、その撮影画像データとフレーム画像データとの合成処理に必要な情報とを受け、上述の設定データと合わせて合成制御部３０２に出力する。
【００３４】
撮影画像データ、合成処理に必要な情報および設定データを受け取った合成制御部３０２は、後述するフレーム記憶部３０５から合成処理に必要なフレーム画像を呼出し、合成処理に必要な情報に基づいて、画像の合成処理を行なう機能を有する。この合成処理に必要な情報には、合成するフレーム画像データを特定するための識別番号や、撮影画像データとフレーム画像データの相対位置関係の情報が含まれている。こうした情報から、合成処理された１つの合成画像データは、設定データと共に、印刷イメージ生成部３０３に出力される。
【００３５】
合成画像データおよび設定データを受け取った印刷イメージ作成部３０２は、その設定データに含まれる印刷条件に合わせて合成画像データを印刷可能に展開した印刷実行データとして、印刷部３０３に出力する。印刷部３０３は、そのデータに基づいて各種のアクチュエータを制御し、各種記録媒体、例えば用紙上やＣＤ−Ｒの印刷面上に所望の画像を形成する。なお、本実施例のカラープリンタ３０では、外部  Ｉ／Ｆ制御部３０１が取得する画像データは、受信データ解析部３０７からの取得に限らず、メモリカード３７内およびＵＳＢ接続用の端子であるＵＳＢポート８３０を介してパーソナルコンピュータなどの外部機器から取得することも可能である。
【００３６】
カラープリンタ３０は、こうした上述の機能に加えて、赤外波長の光をフォトダイオード８６０で受光して電気信号に変換する赤外線受信部３０６、受信したデータを解析する受信データ解析部３０７、フレーム画像データを記憶するフレーム記憶部３０５、受信したコマンドデータの指令内容を解析するコマンド解析部３０８、フレーム記憶部３０５に記憶されるフレーム画像データを管理するフレーム管理部３０９、携帯電話２０へ送信するデータを赤外波長の光に変換して発光ダイオード８５０を発光させる赤外線送信部３１０を備えている。
【００３７】
赤外線受信部３０６は、携帯電話２０から受信した赤外波長の光を復調して、そのデータを受信データ解析部３０７に出力する。このデータには、カラープリンタ３０への要求コマンド、撮影画像データ、フレーム画像データおよび合成処理に必要な情報が含まれており、こうしたデータを受け取った受信データ解析部３０７は、そのデータを解析して、撮影画像データおよび合成処理に必要な情報は外部  Ｉ／Ｆ制御部３０１に、フレーム画像データはフレーム記憶部３０５に、要求コマンドはコマンド解析部３０８に、それぞれ出力する。
【００３８】
コマンド解析部３０８が受ける要求コマンドは、例えば、カラープリンタ３０に印刷の実行を指示する印刷実行コマンド、カラープリンタ３０が画像の合成に用いるフレーム画像データを保有しているか否かの返信の要求コマンドである。コマンド解析部３０８は、要求コマンドが印刷実行コマンドである場合には、印刷の指示を印刷イメージ生成部３０３に出し、要求コマンドが返信の要求コマンドである場合には、フレーム画像データの確認指示をフレーム管理部３０９に出す。
【００３９】
確認指示を受けたフレーム管理部３０９は、返信の要求コマンドに含まれるフレーム画像データの識別番号から、対応するフレーム画像データがフレーム記憶部３０５に記憶されているか否かを確認する。フレーム管理部３０９は、画像の合成処理に用いようとするフレーム画像データが既に記憶してあることを確認した場合にはフレーム画像が「有る」旨の返信コマンドを、記憶していないことを確認した場合には「無い」旨の返信コマンドを作成して、そのコマンドデータを赤外線送信部３１０に出力する。コマンドデータを受けた赤外線送信部３１０は、赤外波長の光を変調して、そのデータを携帯電話２０に送信する。なお、このデータは、赤外線送信部２０６を介して携帯電話２０に受信され、フレーム画像データの送信の判断に利用される。
【００４０】
上記のＷｅｂサーバ５０、携帯電話２０、カラープリンタ３０で構成される印刷システムにおいて、携帯電話２０で合成表示する画像データの流れについて図５を用いて説明する。図５は携帯電話２０で実行されるデータの処理を示している。携帯電話２０は、キー入力部７０５を介したユーザの操作により、インターネット９０に接続し、インターネット９０上のＷｅｂサーバ５０にアクセスする（ステップＳ１００）。この操作は、液晶パネル７０７に表示されるブラウザにユーザがキー入力部７０５からＵＲＬを入力することで行なわれる。
【００４１】
Ｗｅｂサーバ５０は、ＵＲＬ情報に対応するファイルを携帯電話２０に配信する。このファイルは、前述の複数のフレーム画像の特徴を記載したリストデータ４０ａであり、一のフレーム画像を選択するための一覧表である。携帯電話２０は、配信された（通話制御部２０１を介して取得した）リストデータ４０ａを、液晶パネル７０７上に表示する（ステップＳ１１０）。続いて、リストの中から一のフレーム画像を選択する処理が行なわれる（ステップＳ１１０）。この選択操作は、ユーザが対応するキー操作によりカーソルを移動させて、決定を指示するキーを押下することにより行なわれる。この選択操作は、所望するフレーム画像の特徴記載に対応するリスト番号を入力することで行なうこととしても良い。
【００４２】
一のフレーム画像の特徴記載が選択されると、操作制御部２００は、選択された特徴記載に対するフレーム画像データのダウンロードの開始を通話制御部２０１に指令する。この指令は、選択された特徴記載に対応するＵＲＬ情報により該当するＷｅｂサーバ５０からフレーム画像データをダウンロードする指示である。該当するフレーム画像データをダウンロードした携帯電話２０は、フレーム画像を液晶パネル７０７に表示する（ステップＳ１２０）。続いて、ダウンロードしたフレーム画像データが所望するものであるか否かの判断を行なう（ステップＳ１２５）。ユーザのキー操作を介した決定指令により、表示されたフレーム画像は所望するものであると判断した場合には、フレーム画像を表示したままの状態で画像の撮影を行なう処理に移行する（ステップＳ１３０）。このとき、携帯電話２０の液晶パネル７０７は、フレーム画像と撮影対象画像とが重ねて表示された合成表示状態となる。
【００４３】
フレーム画像と撮影画像とが液晶パネル７０７に合成表示された一例を図６に示す。図示するように、選択したフレーム画像（例えば、ハートのフレーム画像）を液晶パネル７０７に表示しながら、カメラ７０８を撮影対象（例えば、人物）に向けて構図を決定し、撮影を行なう。この撮影操作により、フレーム画像と撮影画像との相対的な位置関係が決まり、操作制御部２００では、この相対位置に関する情報データを作成する。この情報データは、例えば、液晶パネル７０７の左上隅を原点とする座標データであり、撮影画像とフレーム画像とを重ね合わせる座標位置を特定するデータである。
【００４４】
フレーム画像と撮影された静止画像とは、それぞれ別々のレイヤーに記憶され、独立した画像として記憶部２０２に一時的に記憶される。液晶パネル７０７への合成表示は、別々に記憶されたレイヤーを、単に重ね合わせた表示であり、例えばフレーム画像データを記憶するレイヤーの画像を別のフレーム画像データに書き換えれば、同じ撮影画像を別のフレーム画像で装飾して表示することができる。
【００４５】
次に、液晶パネル７０７に合成表示された画像の印刷を実行するか否かの判断を行なう（ステップＳ１３５）。この判断は、ユーザが印刷実行に対応するキーを押下することにより行なわれ、キー操作を介して印刷の実行が指示されると、携帯電話２０は、フレーム画像データに付随する識別番号を含む返信要求コマンドをカラープリンタ３０に送信する（ステップＳ１４０）。具体的には、印刷実行の指示を受けた操作制御部２００は、印刷実行コマンドを作成する指示の前に、フレーム画像の識別番号をコマンド生成解析部２０４に出力し、これを受けたコマンド生成解析部２０４は、この識別番号に該当するフレーム画像データをカラープリンタ３０が保有しているか否かについて返信を要求するコマンドを作成する。この返信要求コマンドは送信データ制御部２０３に出力され、赤外線送信部２０５を介して、カラープリンタ３０に送信される。カラープリンタ３０では、識別番号に基づいてフレーム画像データを有無を確認し、該当するフレーム画像データの「有」、「無」を示すコマンドを携帯電話２０に返信する。このカラープリンタ３０側での処理については、後述する。
【００４６】
カラープリンタ３０からの返信コマンドに基づいて、携帯電話２０は、該当フレーム画像データの有無を判断する（ステップＳ１４５）。カラープリンタ３０には、既に該当フレーム画像データが有ると判断した場合には、携帯電話２０は、撮影画像データと相対位置情報データと印刷実行コマンドとをカラープリンタ３０に送信して（ステップＳ１５０）、処理を終了する。
【００４７】
他方、ステップＳ１４５で、カラープリンタ３０からの返信コマンド内容から、該当するフレーム画像データは無いと判断した場合には、携帯電話２０は、撮影画像データと相対位置情報データと印刷実行コマンドとに加えて、フレーム画像データをカラープリンタ３０に送信して（ステップＳ１８０）、処理を終了する。なお、送信されたフレーム画像データは、先に送信した識別番号と対応付けされ、カラープリンタ３０内部に記憶される。
【００４８】
なお、上記の処理において、ステップＳ１２５で液晶パネル７０７に表示したフレーム画像が不所望である場合には、ステップＳ１１０に戻り、再度一覧表であるリストを表示する。また、ステップＳ１３５で、合成表示した画像の印刷を実行しない場合には、この処理を終了する。
【００４９】
以上の携帯電話２０で行なわれる処理に対応して、カラープリンタ３０側で行なわれる処理について、図７を用いて説明する。図７は、携帯電話２０から送信された画像の合成、印刷処理のフローチャートである。携帯電話２０で撮影画像とフレーム画像の相性が確認され、その合成表示された画像の印刷を決定した後に対応する処理である。
【００５０】
カラープリンタ３０は、携帯電話２０から送信される返信要求コマンド（フレーム画像の識別番号）を受信する（ステップＳ４００）。赤外線受信部３０６を介して、このデータを受け取った受信データ解析部３０７は、データのヘッダ情報からコマンドであると判断し、コマンド解析部３０８に出力する。コマンド解析部３０８では、このコマンドを解析して、送信されたフレーム画像の識別番号の検索をフレーム管理部３０９に指示する。
【００５１】
コマンド解析部３０８からの指示を受けたフレーム管理部３０９は、識別番号についてフレーム記憶部３０５内を検索する。フレーム管理部３０９は、検索結果、すなわち、該当フレーム画像データの有無を赤外線送信部３１０を介して、携帯電話２０に送信する。カラープリンタ３０は、こうしたフレーム確認処理（ステップＳ４１０）を行ない、その結果、携帯電話２０からの各種データを受信する（ステップＳ４２０）。このデータには、撮影画像データ、相対位置情報データ、印刷実行コマンドと、場合によってはフレーム画像データが含まれる。続いて、受信データの中にフレーム画像データが含まれるか否かを判断する（ステップＳ４３０）。フレーム画像データが含まれる場合には、該フレーム画像データは先に検索依頼を受けた識別番号と対応付けされて、フレーム記憶部３０５に記憶される（ステップＳ４４０）。以降に、このフレーム画像データを用いて印刷を行なうときには、既にカラープリンタ３０に記憶されているため、携帯電話２０からフレーム画像データが送信されることは無い。
【００５２】
続いて、フレーム画像データと撮影画像データとを相対位置情報データに基づいて１つの画像に合成する合成処理を行なう（ステップＳ４５０）。合成制御部３０２は、外部Ｉ／Ｆ制御部から撮影画像データ、相対位置情報データと共に、先に検索依頼を受けたフレーム画像の識別番号を受け取り、識別番号から、フレーム記憶部３０５内のフレーム画像データを呼出す。この場合には、前のステップＳ４４０にてフレーム画像データが記憶されているため、該当する識別番号は存在している。合成制御部３０２は、この各種データをカラープリンタ３０の解像度に合わせて展開して合成処理を行なう。合成処理された画像は、合成制御部３０２から印刷イメージ生成部３０３へ出力され、印字可能に展開後、印刷部３０４へ出力される。印刷部３０４は、所望する画像を出力し、この処理は終了する（ステップＳ４６０）。
【００５３】
他方、ステップＳ４３０で、受信データの中にフレーム画像データが含まれないと判断した場合には、先に検索依頼を受けたフレーム画像の識別番号から、フレーム記憶部３０５内のフレーム画像データを呼出す（ステップＳ４７０）。受信データにフレーム画像データが含まれないことから、このフレーム画像データは既にカラープリンタ３０に記憶されているものである。合成制御部３０２は、このフレーム画像データと受信した撮影画像データ、相対位置情報データとから、画像の合成処理を行なう（ステップＳ４５０）。以下同様に、合成処理された画像は、ステップＳ４６０で印刷され、この処理は終了する。
【００５４】
上記の処理におけるステップＳ４５０の合成処理では、ベクトルデータであるフレーム画像データと撮影画像データとをカラープリンタ３０の性能に合わせた展開が行なわれる。具体的には、カラープリンタ３０固有の性能、例えば解像度、使用するインクの種類、印刷ドットの大きさ、ＣＭＹＫデータへの展開である色補正や誤差拡散を用いて展開するハーフトニング等の処理能力などに応じて、印刷に最適な展開を行なっている。
【００５５】
以上説明した第１の実施例によれば、携帯電話２０では、フレーム画像と撮影画像との合成表示を行ない、両画像の相性を確認し、画像を合成することなく、これらの画像をカラープリンタ３０に別個に送信する。実際の画像の合成処理は、カラープリンタ３０側で行なわれる。したがって、印刷用の合成画像をカラープリンタ３０の性能に応じて、展開することができ、最適な印刷、すなわち、高画質の印刷を行なうことができる。また、一度使用したフレーム画像データは、カラープリンタ３０に記憶される。したがって、そのフレーム画像データを再度使用する場合には、フレーム画像データを送信する必要はなく、携帯電話２０とカラープリンタ３０とのデータの通信時間を短縮することができる。さらに、画像の合成処理を、処理能力の高いカラープリンタ３０側で行なうことで、迅速な処理が可能となる。
【００５６】
本実施例の印刷システムを構成する携帯電話２０およびカラープリンタ３０の実際のハードウェアの構成について説明する。図８は、携帯電話２０の全体のハード構成図である。図９は、カラープリンタ３０の全体のハード構成図である。
【００５７】
図８に示すように、携帯電話２０は、アンテナ７００、アンテナ７００からのアナログ信号をデジタル信号に変換し信号の処理をする無線回路７０１、スピーカ７０２、マイク７０３、ユーザが指令操作を行なうキー入力部７０５、通話の状態や印刷条件の設定画面を表示する液晶パネル７０７、静止画の撮影を行なうカメラ７０８、電話番号の記憶や、ダウンロードした画像ファイルを記憶する書換え可能なメモリ７０４、赤外線の送信を行なう発光ダイオード７５０と受信を行なうフォトダイオード７６０を備えた赤外線インターフェイス７０６、これらの動作を制御するＣＰＵ７１０を含む制御部７２０から構成されている。なお、赤外線インターフェイス７０６は、ＩｒＤＡ規格の赤外線通信が可能である。
【００５８】
制御部７２０は、ＣＰＵ７１０の他に、ＲＡＭや種々の制御を行なうプログラムを格納したＲＯＭ７１５を備えている。制御部７２０は、通常の通話、インターネット９０回線への接続やメール送受信を処理するのに加え、メモリ７０４に記憶した画像ファイルを呼び出し、液晶パネル７０７に表示する処理を行なっている。また、制御部７２０は、キー入力部７０５の操作により選択した印刷を所望する画像データを、赤外線インターフェイス７０６を介しカラープリンタ３０に送信する。
【００５９】
図９に示すように、カラープリンタ３０は、主に、用紙にインクを吐出する印字ヘッド８００を装着したキャリッジ８０１、キャリッジ８０１を主走査方向に駆動するキャリッジモータ８０２、用紙を搬送する紙送りモータ８０３、印字ヘッド８００やキャリッジモータ８０２、紙送りモータ８０３の動作を制御する制御回路８１０から構成されている。
【００６０】
制御回路８１０は、カラープリンタ３０の印刷を設定する操作表示パネル８２０、デジタルスチルカメラのメモリカード３７を装着するカードスロット３５、赤外線の送信を行なう発光ダイオード８５０と受信を行なうフォトダイオード８６０とを備えた赤外線インターフェイス８３５と電気的に接続されている。制御回路８１０の内部は、主に、図示しないＣＰＵ，ＲＡＭ，制御プログラムを記憶したＲＯＭから構成されている。制御回路８１０は、カードスロット３５に装着するメモリカード３７とデータのやり取りを行なう他、赤外線インターフェイス８３５とデータのやり取りを行い、上記の各モータ等へ指令信号を出力している。また、ＵＳＢ接続可能なＵＳＢポート８３０を備え、パーソナルコンピュータなどの外部機器と画像データのやり取りを行なうことができる。なお、赤外線インターフェイス８３５は、ＩｒＤＡ規格の赤外線通信が可能である。
【００６１】
キャリッジ８０１には、インクカートリッジ８４０が装着されている。インクカートリッジ８４０には、黒インクと、３色のカラーインク（シアン，マゼンタ，イエロ）が収納され、これらのインクを印字ヘッド８００から用紙へ吐出することで微小なドットを形成してカラー印刷を行なっている。
【００６２】
上述したハード構成を用いて、本発明の第２実施例について説明する。第１実施例では、携帯電話２０はＷｅｂサーバ５０からダウンロードしてフレーム画像データを取得したが、第２実施例では、フレーム画像データ自体を携帯電話２０で撮影した画像データから作成する。このフレーム画像データの作成処理のフローチャートを図１０に示す。なお、このフローチャートは、携帯電話２０内の制御部７２０（ＣＰＵ）で実行される。
【００６３】
携帯電話２０は、フレーム画像データの作成を望む撮影画像データを選択する（ステップＳ６００）。この撮影画像データは、以前に撮影を行なったメモリ７０４に記憶してある画像データを選択しても、また、その場で撮影した画像データを選択しても良い。続いて、選択された画像データをフレーム画像データにするフレーム用画像縮小処理を行なう（ステップＳ６１０）。この処理は、図１１に示すように、撮影画像ＰＧをＪＰＥＧ方式で圧縮し、所定の間隔で間引くことで縮小したサムネイル画像ＳＧを、所定の雛形に入れ込むことでフレーム画像データを作成する処理である。
【００６４】
本実施例では、液晶パネル７０７面の４辺に沿って、等間隔にサムネイル画像ＳＧを並べる雛形Ａと、間隔を設けずに連続してサムネイル画像ＳＧを並べる雛形Ｂと、予めランダムな配置の設定をした場所にサムネイル画像ＳＧを入れ込む雛形Ｃとの３種類の雛形を予め用意してある。撮影画像ＰＧを選択した液晶パネル７０７上で、ユーザが対応するキー操作をすることで、フレーム作成のウィンドウが開き、３種類の雛形の一を選択できる。ユーザのキー操作により、一の雛形が選択されると、作成されたフレーム画像が液晶パネル７０７に表示される（ステップＳ６２０）。なお、このフレーム画像をメモリ７０４に記憶する場合には、タイトル、日付を入力することが可能であり、再度このフレーム画像を用いる場合のインデックスとなる。
【００６５】
続いて、フレーム画像を液晶パネル７０７に表示した状態で対象の画像を撮影する処理に移行する。ユーザはカメラ７０８を介して液晶パネル７０７に表示される撮影対象と、合わせて表示されているフレーム画像との相性を判断し、構図を決定して撮影を行なう。こうして、作成したフレーム画像と撮影画像とが液晶パネル７０７上に合成表示される（ステップＳ６３０）。なお、この段階で、フレーム画像と撮影画像との相対位置に関する情報が決定される。
【００６６】
携帯電話２０は、液晶パネル７０７上に合成表示された画像の印刷を実行するか否かについて判断する（ステップＳ６６０）。ユーザのキー操作を介しての印刷の実行指示を受けた場合には、作成したフレーム画像データ、撮影画像データ、相対位置の情報データをカラープリンタ３０へ送信して（ステップＳ６７０）、終了する。ここで、送信されるフレーム画像データには、サムネイル画像前の元の画像データと、選択されたフレームの雛形データと、雛形に入れ込むときの元の画像の縮小率データとが含まれている。こうしたデータを基にして、カラープリンタ３０で、合成処理が行なわれる。なお、ステップＳ６６０で、印刷を実行しないときは、そのまま処理を終了する。
【００６７】
こうして、カラープリンタ３０に送信された各種データは、制御回路８１０で、２つの画像を１つの画像とする合成処理が行なわれ、その画像を印刷可能なデータに展開する。具体的には、ラスタライズ、色補正、ハーフトニング等の処理を行ない印字ヘッド８００によって印刷すべきドットに展開し、印字ヘッド８００に加える電圧や、インクの色の組み合わせ等を決定する。制御回路８１０の指令に基づいて、キャリッジモータ８０２、印字ヘッド８００、紙送りモータ８０３が駆動し、目的の画像等が出力される。
【００６８】
以上説明した第２実施例によれば、携帯電話２０で撮影された画像データを縮小して、フレーム画像データを作成する。携帯電話２０の液晶パネル７０７上に表示されたフレーム画像は、携帯電話２０で容易に取り扱えるサムネイル画像であり、撮影画像との合成表示を容易に行なうことができる。また、カラープリンタ３０にフレーム画像データの構成部分として送信されるのは、縮小していない元の画像データである。その画像データを縮小してフレーム画像を構成するため、高解像度の画像データとなる。したがって、カラープリンタ３０の性能に適切に対応した印刷を行なうことができ、特に、画像のフレーム部分は高画質の印刷を行なうことができる。更には、撮影した画像からフレーム画像を作成するため、独自のフレーム画像を作成することができ、携帯電話２０の合成表示の機能が向上する。
【００６９】
以上、本発明の実施の形態について説明したが、本発明はこうした実施の形態に何ら限定されるものではなく、本発明の趣旨を逸脱しない範囲内において様々な形態で実施し得ることは勿論である。例えば、第１実施例では、携帯電話２０で撮影した画像を合成する一方の画像としたが、所定のＷｅｂサーバから画像をダウンロードして、合成表示するものとしても良い。また、フレーム画像の選択にはリストを用いたが、例えばサムネイル画像を表示するものとして、選択操作を行なっても良い。第２実施例では、携帯電話２０で作成する装飾画像はフレーム（枠）としたが、例えば、スタンプのように、画面上の任意の座標位置に作成した画像を貼り付けるものとしても良い。特に、装飾画像がスタンプである場合には、撮影画像のクロマキー処理を行ない、背景を除いた人物画像などを任意の位置に貼り付けることも可能である。この場合にも、２つの画像の合成処理をカラープリンタ３０側で行なうことで、同様の効果を奏する。さらに、近距離無線通信は赤外線通信に限らず、例えば、Ｂｌｕｅｔｏｏｔｈ（登録商標）を利用しても同様の効果を奏する。
【図面の簡単な説明】
【図１】本発明の第１の実施例である印刷システムの一例を示す概略構成図である。
【図２】リストデータの概念図である。
【図３】携帯電話の概略構成を示す機能ブロック図である。
【図４】カラープリンタの概略構成を示す機能ブロック図である。
【図５】携帯電話で実行される処理のフローチャートである。
【図６】携帯電話に表示される画像の合成表示を示す説明図である。
【図７】カラープリンタで実行される処理のフローチャートである。
【図８】携帯電話の全体のハード構成図である。
【図９】カラープリンタの全体のハード構成図である。
【図１０】携帯電話で実施するフレーム画像の作成処理のフローチャートである。
【図１１】携帯電話で作成するフレーム画像の雛形である。
【符号の説明】
２０…携帯電話
３０…カラープリンタ
３５…カードスロット
３７…メモリカード
４０…ファイル
４０ａ…リストデータ
５０…Ｗｅｂサーバ
７０…基地局
８０…ゲートウェイ
９０…インターネット
２００…操作制御部
２０１…通話制御部
２０２…記憶部
２０３…送信データ制御部
２０４…コマンド生成解析部
２０５…赤外線送信部
２０６…赤外線受信部
２０７…カメラ制御部
３００…ユーザ操作制御部
３０１…外部Ｉ／Ｆ制御部
３０２…合成制御部
３０３…印刷イメージ生成部
３０４…印刷部
３０５…フレーム記憶部
３０６…赤外線受信部
３０７…受信データ解析部
３０８…コマンド解析部
３０９…フレーム管理部
３１０…赤外線送信部
７００…アンテナ
７０１…無線回路
７０２…スピーカ
７０３…マイク
７０４…メモリ
７０５…キー入力部
７０６…赤外線インターフェイス
７０７…液晶パネル
７０８…カメラ
７１０…ＣＰＵ
７１５…ＲＯＭ
７２０…制御部
７５０…発光ダイオード
７６０…フォトダイオード
８００…印字ヘッド
８０１…キャリッジ
８０２…キャリッジモータ
８０３…モータ
８１０…制御回路
８２０…操作表示パネル
８３０…ＵＳＢポート
８３５…赤外線インターフェイス
８４０…インクカートリッジ
８５０…発光ダイオード
８６０…フォトダイオード
【図１】
2004348653.tif 000003
【図２】
2004348653.tif 000004
【図３】
2004348653.tif 000005
【図４】
2004348653.tif 000006
【図５】
2004348653.tif 000007
【図６】
2004348653.tif 000008
【図７】
2004348653.tif 000009
【図８】
2004348653.tif 000010
【図９】
2004348653.tif 000011
【図１０】
2004348653.tif 000012
【図１１】
2004348653.tif 000013